(57)【特許請求の範囲】
【請求項１】
振動板(1)を振動させることによりマッサージを施すようにしたマッサージ機において、
前記振動板(1)の前部に、複数の突起(80)を横一列に並設して足の指に対応する前部突起群(8)を形成するとともに、土踏まずに対応する中間凸部(2)を設け、同中間凸部(2)と前部突起群(8)との間に、少なくとも足の裏の凸曲面部を沈み込ませるだけのスペース(S)を設け、しかも、前記前部突起群(8)の各突起(80,80a)間にリブ(81)を設けたことを特徴とするマッサージ機。
【請求項２】
最外側に位置した前記突起(80)の外側斜め後方位置にさらに突起(80a)を設けたことを特徴とする請求項１記載のマッサージ機。
【請求項３】
前記振動板(1)の後部に後部突起部(9)を設けたことを特徴とする請求項１又は２に記載のマッサージ機。
【請求項４】
前部突起群(8)の最外側突起(80a)と後部突起部(9)とが、略同一直線上にあることを特徴とする請求項３記載のマッサージ機。
【請求項５】
前記中間凸部(2)は、回転して患部を押圧する指圧機能を有することを特徴とする請求項１〜４のいずれか１項に記載のマッサージ機。
【請求項６】
前記振動板(1)の略全面に、前部突起群(8)の各突起(80,80a)、後部突起部(9)、及び中間凸部(2)よりも背の低い小突起(12)を多数設けたことを特徴とする請求項３〜５のいずれかに記載のマッサージ機。
【請求項７】
前記前部突起群(8)の前後に複数の小突起(82a)を横一列に設け、しかも、各小突起(82a)は、前部突起群(8)の各突起(80)と前後方向に重合しないように設けられていることを特徴とする請求項１〜６のいずれかに記載のマッサージ機。
【発明の詳細な説明】
【０００１】
【発明の属する技術分野】
この発明は、振動板を振動させることによりマッサージを施すようにしたマッサージ機に関するものである。
【０００２】
【従来の技術】
従来、この種のマッサージ機として、例えば、特開平８−２９９４０２号公報に示されたものがある。
【０００３】
これは、図３１に示すように、振動してマッサージを施す振動板１００  に多数の小突起２００  を設けたものであるが、振動板１００  を平坦部１１０  と傾斜部１２０  とから形成し、傾斜部１２０  には小突起２００  よりも大きな指圧用突起３００  を設けたことに特徴がある。そして、この指圧用突起３００  は、平坦部１１０  の延長面上から突出しない高さに設定されている。
【０００４】
また、平坦部１１０  と傾斜部１２０  との境部分に、首の太さに応じた間隔で小突起２００  よりも大きな凸部４００  が設けられるとともに、両凸部４００，４００  の間隔に応じて小突起２００  よりも大きな小凸部５００  が平坦部１１０  に４列に配設されている。なお、図３１中、６００  は把手、７００  は操作部である。
【０００５】
かかる構成により、傾斜部１２０  の指圧用突起３００  によって足の裏の土踏まずや指の付け根等の局所的に窪んだ患部を有効にマッサージすることができ、かつ、平坦部１１０  では背中等を有効にマッサージできるとされている。
【０００６】
【発明が解決しようとする課題】
ところが、上記した従来のマッサージ機Ｘには下記の課題が残されていた。
【０００７】
すなわち、足の裏の土踏まずをマッサージしようとすると、指圧用突起３００  が傾斜部１２０  に設けられているために、踵を床等に置かなければならず、かかる姿勢では指先が宙に浮くことになるので振動によって足がずれやすくなり、指圧用突起３００  が患部に効率的に当接せずにマッサージ効果を薄めてしまう結果となっていた。
【０００８】
また、指圧用突起３００  を用いては土踏まずと指の付け根を同時にマッサージすることができない。
【０００９】
そこで、足の裏全体をマッサージする場合は、足の裏全体を振動板１００  上に載置しなければならないが、その場合、足の裏は平坦部１１０  上に置くことになる。
【００１０】
ところが、小凸部５００  の配置では足が振動によってずれやすく、小凸部５００  での効果的なマッサージも難しいものとなっていた。
【００１１】
本発明は、上記課題を解決して、特に足の裏全体を効果的にマッサージ可能なマッサージ機を提供することを目的としている。
【００１２】
【課題を解決するための手段】
上記課題を解決するために、請求項１記載の本発明では、振動板を振動させることによりマッサージを施すようにしたマッサージ機において、前記振動板の前部に、複数の突起を横一列に並設して足の指に対応する前部突起群を形成するとともに、土踏まずに対応する中間凸部を設け、同中間凸部と前部突起群との間に、少なくとも足の裏の凸曲面部を沈み込ませるだけのスペースを設け、しかも、前記前部突起群の各突起間にリブを設けた。横一列に配置した前部突起群の各突起が足の指に対応し、例えば足の裏をマッサージする場合、振動板の振動で足がずれることを防止するとともに、指の付け根を強く押圧してマッサージ効果を高め、さらに、振動による足の内側へのずれを防止することができるとともに、疲れを癒すに適当な土踏まずのマッサージ効果を高めることができる。しかも、足を載置した際に、指を突起間に深く挿入し過ぎることがなく、振動によって指を傷めたりするおそれがない。
【００１３】
また、請求項２記載の本発明では、最外側に位置した前記突起の外側斜め後方位置にさらに突起を設けた。かかる構成により、突起が実際の足の指に対応することになり、小指にまでフィットしてマッサージ効果が高まる。また、小指に当接しなくとも、かかる最外側斜め後方位置にある突起が足の横ずれを防止できる。
【００１４】
また、請求項３記載の本発明では、前記振動板の後部に後部突起部を設けた。足の裏のマッサージを行うに際し、かかる後部突起部が踵に対応することになり、踵下面や側面のマッサージが行えるとともに、下方への足のずれを防止することができる。
【００１５】
また、請求項４記載の本発明では、前部突起群の最外側突起と後部突起部とが、略同一直線上にあることとした。したがって、自然な姿勢で足を振動板に載せるだけで足の裏全体を効率よくマッサージ可能となり、かつ、振動により足が外側や下側へずれることを防止できる。
【００１７】
また、請求項５記載の本発明では、前記中間凸部は、回転して患部を押圧する指圧機能を有することとした。したがって、土踏まず等を効果的にマッサージできる。
【００１９】
また、請求項６記載の本発明では、振動板の略全面に、前部突起群の各突起、後部突起部、及び中間凸部よりも背の低い小突起を多数設けた。振動板のどの個所に足、手、背等の患部を載置してもマッサージ効果が高く、施療個所が広くても対応可能となる。
【００２０】
さらに、請求項７記載の本発明では、前記前部突起群の前後に複数の小突起を横一列に設け、しかも、各小突起は、前部突起群の各突起と前後方向に重合しないように設けられていることとした。足等を載置した際に、前部突起群の各突起に指を載せた場合に、その前後の小突起によって突起と振動板面との段差が縮まることがなく、強力な押圧力でマッサージ効果が高くなる。
【００２１】
【発明の実施の形態】
本発明に係るマッサージ機は、振動板を振動させることによりマッサージを施すようにしたマッサージ機において、前記振動板の前部に、複数の突起を横一列に並設して前部突起群を形成したものである。
【００２２】
すなわち、モータ等を収納するケーシングに振動板を取付け、同振動板に前記モータの回転を偏心カム等を介して伝達して振動させ、足や背等の施療個所をマッサージ可能としたマッサージ機であって、前記振動板の前部、すなわち使用者側から見て奥部に、複数の突起を横一列に並設した前部突起群を設けている。
【００２３】
ケーシング及び振動板の形状は任意でよいが、例えば平面視で矩形形状とした場合に、前部突起群は、前端縁に沿って略平行に設け、しかも、左右対象位置に２個所設けることが好ましい。かかる構成により、足のマッサージでは両足同時に施療することができるとともに、前部突起群の各突起が足の指に対応し、振動板の振動で足がずれることを防止し、かつ、指の付け根を強く押圧してマッサージ効果を高めることができる。
【００２４】
さらに、前記前部突起群の各突起間にはリブを設けるとよく、各突起の強度を向上させるとともに、足を載置した際に、指を突起間に深く挿入し過ぎることがなくなり、振動によって指を傷めたりするおそれがなくなる。
【００２５】
また、かかる前部突起群は、最外側に位置する突起の外側斜め後方位置にさらに突起を設けた構成とすることができる。
【００２６】
かかる構成とすれば、突起が実際の足の指に対応することになり、小指にまでフィットしてマッサージ効果を高めることができる。しかも、斜め後方に位置させた突起に小指が当接しなくとも、同突起が足の横ずれを防止し、マッサージ効率を低下させることがない。
【００２７】
また、前記前部突起群の反対側位置、すなわち使用者側から見て手前側に後部突起部を設けることができる。かかる構成により、踵下面や側面のマッサージが行えるとともに、下方への足のずれを防止することができる。なお、後部突起部は、複数の突起からなる突起群でも単独の突起でも構わないが、後部突起部を踵に対応させる場合、マッサージ効果の面からは突起群とすることが好ましい。
【００２８】
また、前部突起群の最外側突起と後部突起部とは、略同一直線上に配置することが好ましい。
【００２９】
すなわち、足の指部と踵部とに突起が対応することになるので、自然な姿勢で足を振動板に載せるだけで足の裏全体を効率よくマッサージすることができ、しかも、振動によって足が外側や下側へずれることを防止できる。
【００３０】
また、前部突起群を足の指に対応させ、かつ、後部突起部を踵に対応させ、さらに、前部突起群と後部突起部との間に、土踏まずに対応する中間凸部を設けるとよい。しかも、同中間凸部と前部突起群との間は、少なくとも足の裏の凸曲面部を沈み込ませるだけのスペースを設けることが好ましい。
【００３１】
かかる構成とすれば、外側方や下側方ばかりでなく、振動による足の内側へのずれもより効果的に防止することができるとともに、疲れを癒すに適当な土踏まずのマッサージを効果的に行うことができる。
【００３２】
また、前記中間凸部は、回転して患部を押圧する指圧機能を有する構成とすることができる。
【００３３】
すなわち、人体の各神経と連絡している土踏まずを指圧することは、疲れを癒したり、他の生体機能の活性化に有効であるとともに、振動によるマッサージ効果に加え、さらに優れたマッサージ効果を奏することができる。
【００３４】
また、振動板の略全面には、前部突起群の突起、後部突起部、及び中間凸部よりも背の低い小突起を多数設けることが好ましい。
【００３５】
かかる小突起によって、振動板のどの個所に足、手、背等の患部を載置しても高いマッサージ効果を得ることができ、しかも、背中等のように施療個所が広くても対応することができる。
【００３６】
ところで、小突起のうち、前記前部突起群の前後に設けたものは、小突起を横一列に設けるとともに、各小突起が前部突起群の各突起と前後方向に重合しないように設けることが好ましい。
【００３７】
これは、振動板に足等を載置して、前部突起群の各突起に指を載せた場合に、同前部突起群と中間凸部との間には足の裏の凸曲面部を沈み込ませるだけのスペースを設けているので、前部突起群の特に後ろの小突起によって突起と振動板面との段差を縮めてしまい、強力な押圧力による高いマッサージ効果を得られなくなることがないようにするためである。
【００３８】
以上説明してきたように、本発明に係るマッサージ機は、振動板の振動によって足がずれたりすることがなく、確実にフィットして、効果的なマッサージを行って血行の促進を図り疲れを癒すことができる。
【００３９】
【実施例】
以下、この発明の実施例を図面に基づき具体的に説明する。
【００４０】
図１は本実施例に係るマッサージ機Ａの平面図、図２は同縦断面図、図３は同側面図、図４は同分解斜視図である。
【００４１】
本実施例に係るマッサージ機Ａは、ケーシングＣ上に取付けた振動板１を振動させることによりマッサージ可能とするとともに、振動板１の略中央に回転自在に取付けた左右一対の指圧用凸部２により指圧可能な載置式としており、足の裏のマッサージに好ましい構成としながら、かつ、背中等に振動板１を当接して背中のマッサージ等にも使用できるようにしている。
【００４２】
図４に示すように、ケーシングＣは、それぞれＡＢＳ樹脂で形成された矩形形状の下ケース３と、同下ケース３に嵌合する周壁４０を有する薄板状の上ケース４とを重合状態に組み立てて構成しており、両ケース３，４  の一側に一体成形された半割状把手構成部３ａ，４ａ  が重合されて、把手３０がケーシングＣと一体的に形成されている。Ｃ１は電源コードである。
【００４３】
下ケース３は、前側（把手３０と反対側で使用者側から奥部となる側）の高さを後側（使用者からみて手前となる把手３０側）よりも高くして傾斜状に形成し、特に足の裏をマッサージする場合に使用者は腰掛けて使用できるようにするとともに、高くした前側に振動板１を振動させる振動用モータ６ａを立てて配設可能としている。このように、下ケース３を傾斜状としたことにより形成されたデッドスペースとなる空間に振動用モータ６ａを立設可能としているので、下ケース３の内部空間を有効利用することができ、マッサージ機Ａの全体をコンパクト化することができる。
【００４４】
また、底面の四隅には脚座３１を取付けており、同脚座３１はマッサージ機Ａを載置する床面等に振動を直接伝達することを防止し、かつ、振動でずれ動くことを防止するために、弾性力を有し、かつ摩擦係数の大きなゴム製としている。
【００４５】
上ケース４は、下ケース３と嵌合して取付ビス３２により固着されており、その表面把手３０側には操作部５を設けている。５０は電源スイッチ、５１は振動モードスイッチ、５２は振動強弱切替スイッチ、５３は指圧モードスイッチ、５４は指圧強弱切替スイッチ、５５はおまかせモードスイッチであり、このおまかせモードスイッチ５５を選択すると、振動、指圧の各モードがアトランダムに組合されたマッサージを行える。また、５６は動作表示ランプである。
【００４６】
このように、操作部５は振動板１と把手３０との間に設けられているので、マサージ機Ａを誤って落下させた場合に把手３０が操作部５を保護することになる。
【００４７】
また、図３に示すように、電源スイッチ５０を、把手３０の先端部と振動板１の前端とを結ぶ仮想線Ｌよりも突出しないように設けたので、背中のマッサージを行う場合などに電源スイッチ５０を誤操作することがない。
【００４８】
さらに、把手３０を把持しやすくするように、把手３０と設置面との間には隙間ｄを設けている。
【００４９】
また、上ケース４の表面四隅には、前側と後側とで硬度を変えた天然ゴム製の弾性支柱４１，４２  を突設しており、同弾性支柱４１，４２  を介して振動板１をケーシングＣと連結している。
【００５０】
弾性支柱４１，４２  は、図２及び図４に示すように、筒状のゴム部４１ａ，４２ａ  の両端にフランジ部４１ｂ，４２ｂ  を連設し、同フランジ部４１ｂ，４２ｂ  に突設した雄ねじ部４１ｃ，４２ｃ  とからなるインサート成形品であり、両端の雄ねじ部４１ｃ，４１ｃ，４２ｃ，４２ｃ  を、振動板１、上ケース４に、それぞれワッシャ４１ｅ，４２ｅ  を介してナット４１ｄ，４２ｄ  により固着している。
【００５１】
一方、上ケース４の裏面には機能部Ｂを集中配置しており、図５に示すように、機能部Ｂは、前側中央位置に前記振動用モータ６ａを立設し、後側中央位置には軸方向を上ケース４の前後方向に合わせた指圧用モータ６ｂを横臥状態に取付け、さらに、両モータ６ａ，６ｂ  間には、指圧用モータ６ｂと連動連結して前記指圧用凸部２を回転駆動させるギヤケース７を配設している。Ｂ１は基板、Ｂ２はリード線、６０は振動用モータ６ａの冷却ファン、６１は指圧用モータ６ｂの冷却ファンである。
【００５２】
また、図７に示すように、上ケース４には一対のモータ押さえ兼用取付ボス（取付ボス）４３を突設しており、両取付ボス４３，４３  間に、ＣＲ系ゴムよりなるモータ押さえバンド６７を介して指圧用モータ６ｂを挟持するとともに、同取付ボス４３と下ケース３に立設した上ケース取付用ボス３３とをビス３４により固着している。
【００５３】
振動用モータ６ａは、回転を強弱二段切替可能としており、強では３，１００ｒｐｍ、弱では２，７００ｒｐｍで回転可能であり、そのモータ軸６２を上ケース４の表面側に突出させている。
【００５４】
振動板１を取り外した状態で見ると、図４及び図６に示すように、表面には、振動マッサージや指圧マッサージを行うための駆動部分のみが露出しただけとなっている。
【００５５】
図２、図４及び図６中、４ｂは上ケース４に取付けたガイド筒であり、同ガイド筒４ｂ内に振動用モータ６ａのモータ軸６２を挿通し、同モータ軸６２の先端に偏心カム６３を介してベアリング６４を取付けている。そして、同ベアリング６４を振動板１に形成した取付ボス１１にゴムキャップ６５を介して嵌着し、振動用モータ６ａと振動板１とを連動連結している。
【００５６】
このように、機能部Ｂを上ケース４の裏面に集中配置し、上ケース４の表面には振動マッサージや指圧マッサージを行うための駆動部分のみを露出させたことにより、後述する指圧用凸部２の指圧用回転体２０を覆うカバー体２１の交換や、その他部品のメンテナンス時等に、電源系統やグリース等に触れずにすみ、安全であり、かつ衛生的である。
【００５７】
また、振動用モータ６ａを上ケース４側に固定し、上ケース４に弾性支柱４１，４２  を介して連結されている振動板１を振動させるようにしているので、強力な振動を与えることができる。
【００５８】
しかも、振動板１を支持する弾性支柱４１，４２  のゴム部４１ａ，４２ａ  の硬度は、前側の左右弾性支柱４１，４１  よりも、振動用モータ６ａから離隔した後側の左右弾性支柱４２，４２  の方を硬くしているので、振動板１と振動用モータ６ａとの連結部が振動板１の中央でなく前側にオフセットしていても、振動板１が異常振動してガタつき異音を発生したりすることがない。すなわち、本実施例の構成では、振動板１の重心に対し、振動用モータ６ａの偏心カム６３を偏位した位置に取付けた場合、振動板１における偏心カム６３から離れた位置では水平振幅が大きくなり、また、縦方向（上下方向）の振幅も大きくなるので、前記連結部の反対側ではガタつきが大きく異音を発生することを防止できる。
【００５９】
なお、本実施例では、前側の左右弾性支柱４１，４１  の硬度を６０度、後側の左右弾性支柱４２，４２  の硬度を７０度としている。
【００６０】
一方、指圧用モータ６ｂについても回転を強弱二段切替可能としており、強では３，１００ｒｐｍ、弱では２，７００ｒｐｍで回転可能としている。さらに、そのモータ軸を、前記ギヤケース７内に配設した図示しないギヤ連動機構と連動連結して減速可能とし、減速時の強では３０ｒｐｍ  、弱では２４ｒｐｍ  で回転可能としている。そして、前記ギヤ連動機構により、ギヤケース７から突設した左右の回転軸７１，７１  を回転可能とするとともに、同回転軸７１，７１  の先端に、前記した指圧用凸部２をなす指圧用回転体２０をそれぞれ連結している。なお、前記ギヤ連動機構は、モータ軸に連結したウォームギヤ７２と、同ウォームギヤ７２に噛合する左右のリングギヤ７３とを具備し、同リングギヤと前記回転軸７１とが連動連結している。
【００６１】
上記指圧用回転体２０は、図２に示すように、振動板１に形成した円形開口１ａ，  １ａに内側から挿入されるとともに、図１〜図４に示すカバー体２１により覆われている。
【００６２】
同カバー体２１は、図２及び図４に示すように、取付リング２１ａ  にカバー布２１ｂ  を取付けて形成しており、同カバー体２１を、取付リング２１ａ  が振動板１の円形開口１ａ，１ａ  の内縁に当接するように振動板１の内側から挿入し、８の字状の取付具２１ｄ  によりそれぞれが独立して着脱自在となるように取付けている。
【００６３】
図２中、２１ｅ  は前記取付具２１ｄ  に連設したカバー布保護筒２１ｅ  であり、同保護筒２１ｅ  によりカバー布２１ｂ  が円形開口１ａと指圧用回転体２０との間に当接して巻き込まれたりして破損することを防止している。なお、同カバー布保護筒２１ｅ  は、上ケース４に連設しても構わない。
【００６４】
上記構成において、本発明の要旨となるのは、前記振動板１の前部に、複数の突起８０を横一列に並設して前部突起群８を形成したことにある。
【００６５】
すなわち、本実施例に係る振動板１は、銀や亜鉛、銅等を抗菌材として含むＡＢＳ樹脂からなる抗菌性樹脂で、図１に示すように平面視矩形形状に形成し、その表面全体にかけて、多数の小突起１２を設けるとともに、振動板１に両足を載置した際に左右それぞれの足の指側に対応する個所に、３個の突起８０，８０，８０を横一列に配している。
【００６６】
そして、前記突起８０，８０，８０のうち、最外側に位置した突起８０の外側斜め後方位置にさらに突起８０ａ  を設けて前部突起群を形成している。なお、この突起８０ａ  を省略し、横一列の突起８０，８０，８０のみで前部突起群８としても構わない。
【００６７】
かかる構成としたことにより、振動板１の略全面に設けた小突起１２より振動板１のどの個所に足、手、背等の患部を載置してもマッサージ効果が高くなり、施療個所が広くても対応可能となる。しかも、足のマッサージの場合は、図８に示すように、両足同時に施療することができるとともに、前部突起群８の各突起８０，８０ａが足の指に対応し、振動板１の振動で足がずれることを防止し、かつ、指の付け根を強く押圧することできるのでマッサージ効果を高めることができる。
【００６８】
また、図３に示すように、前記前部突起群８の各突起８０間にはリブ８１を設けており、かかるリブ８１で各突起８０の強度アップを図り、かつ、各突起８０間の凹部深さを加減することにより、足を載置した際に、指を突起８０，８０  間に深く挿入し過ぎることがなくなり、振動によって指を傷めたりすることを防止している。
【００６９】
図１において、８２は前部突起群８の前後に並列状に設けた小突起列であり、同小突起列８２の各小突起８２ａ  は、前部突起群８の各突起８０と前後方向に重合しないように列設されている。
【００７０】
すなわち、足等を載置した際に、前部突起群８の各突起８０に指を載せた場合、その前後の小突起列８２によって突起８０と振動板１面との段差を縮めることがなくなり、強力な押圧力で高いマッサージ効果を得ることが可能となる。
【００７１】
また、前記前部突起群８の反対側位置、すなわち振動板１の後部に後部突起部９を設けている。
【００７２】
本実施例における後部突起部９は、前部突起群８の各突起８０と略同高さの突起９０を、四角形をなすように４個配設して構成しており、足の裏のマッサージを行うに際し、前記前部突起群８が指に対応するのに対し、この後部突起部９は踵に対応することになる。９１は各突起９０間に設けたリブである。
【００７３】
したがって、かかる後部突起部９を用いて、踵下面や側面のマッサージが行えるとともに、側方のみでなく、下方への足のずれを防止することができる。
【００７４】
また、前部突起群８の最外側突起８０ａ  と後部突起部９とは、略同一直線上に位置するようにして、自然な姿勢で足を振動板１に載せるだけで足先と踵に突起８０，９０  が当接し、足の裏全体を効率よくマッサージ可能とするとともに、振動により足が外側や下側へずれることを防止している。また、本実施例では、上記した小突起１２や突起８０，９０  等、患部に当接する個所に抗菌材を多く含有させて抗菌効果を高めるようにしている。
【００７５】
さらに、本実施例では、前述したように、左右一対の指圧用凸部２を設けているが、同指圧用凸部２は、前部突起群８が足の指に対応し、後部突起部９が踵に対応するのに対して、土踏まずに対応するように、前部突起群８と後部突起部９との間に中間凸部として設けている。
【００７６】
しかも、同中間凸部をなす指圧用凸部２と前部突起群８との間には、図９に示すように、少なくとも足の裏の凸曲面部を沈み込ませるだけのスペースＳが設けられている。
【００７７】
また、図１０に示すように、前部突起群８の各突起８０を足の指で挟むようにすれば、各指の側面マッサージも可能となり、かつ、外反母趾の進行を予防する効果も奏する。
【００７８】
かかる構成により、振動による足の内側へのずれまでも防止することができるとともに、疲れを癒すに適当な土踏まずのマッサージを効果的に行える。また、振動板１を抗菌製樹脂製としたので、雑菌の繁殖を防止して防臭効果も有する。
【００７９】
ここで、指圧用凸部２の構成について説明する。
【００８０】
指圧用凸部２は、図２、図４、及び、図１１〜図１４に示すように、ギヤケース７から伸延した回転軸７１にビス７１ａ  により取付けられ、振動板１上に突出した指圧用回転体２０にカバー体２１を被覆して構成されている。
【００８１】
指圧用回転体２０は、強度があって滑りのよいポリアセタール樹脂からなり、平面視略三角形形状とした台座部２２と、同台座部２２の下方に突設され、前記回転軸７１との取付部となるボス部２３と、同ボス部２３から上方へ伸延させたカバー体巻き込み防止用筒部２４と、同筒部２４を囲繞するように、前記台座部２２から突設した三つの筒状突起２５とを一体成形している。２３ａ  は補強リブである。
【００８２】
また、２６は筒状突起２５に取付けた転動体としての金属製の指圧ボールであり、図１４に示すように、各筒状突起２５内に形成したボール収納空間２７に、脱落せず、かつ、回転自在となるように少なくとも頂部を露出させて挿入している。２５ｄ  は筒状突起２５内に設けたボール受部、２５ｅ  は筒状突起２５の切削端部であり、斜め方向からも患部が指圧ボール２６に円滑に当接するように、筒状突起２５の上端面から周壁に向けて、斜め下方へ切削している。
【００８３】
かかる指圧用回転体２０は、図１２に示すように、三つの筒状突起２５を高筒２５ａ  、中筒２５ｂ  、低筒２５ｃ  と三種の高さ違いに形成するとともに、高い順に、台座部２２の中心に近接させて構成している（図１３）。すなわち、高筒２５ａ  が最も回転軸７１に近接し、低筒２５ｃ  が最も離隔している。
【００８４】
かかる構成としたことにより、指圧用回転体２０を回転させると、強弱のある指圧効果を得ることができ、しかも、足や手等の身体の凹部分にもいずれかの筒状突起２５が追随することになって、確実に指圧することができる。
【００８５】
さらに、回転軸７１に対する各筒状突起２５の距離が異なっているので、指圧用回転体２０の回転によって各筒状突起２５は半径の異なる同心円上を回転することになり、指圧半径が広くなって指圧面積を拡大している。
【００８６】
また、各筒状突起２５間にはリブ２８を介設しており、各筒状突起２５の強度アップを図りつつ、筒状突起２５間の隙間に誤って指等を突っ込んで怪我したりすることを防止している。また、同様に、台座部２２の各辺部に半円状の指詰め防止板２２ａ  を一体的に連設するとともに、各筒状突起２５からは前記指詰め防止板２２ａ  と同じく水平方向に指詰め防止片２２ｂ  を突設している。
【００８７】
ところで、本実施例では筒状突起２５を３本としたが、図１５（ａ）（ｂ）に示すように、５本にしたり、あるいはさらに本数を増加させて平面視で多角形形状となるように構成してもよい。なお、２５ｂ’、２５ｂ’’  は、筒状突起２５のうち、中筒２５ｂ  と低筒２５ｃ  の間で漸次背を低くしたものである。
【００８８】
ところで、上記した指圧用回転体２０はカバー体２１により被覆されているが、カバー布２１ｂ  の破れ防止のために、前記保護筒２１ｅ  を設けて、カバー布２１ｂ  が筒状突起２５の側面には当接しにくく、同筒状突起２５の先端に配設した指圧ボール２６に当接するようにしている。
【００８９】
また、図１６に示すように、指圧ボール２６に代えて、筒状突起２５内に支持ピン２６ａ  を架設し、同支持ピン２６ａ  回りに回転可能なローラ体２６ｂ  を取付けた構成としたり、あるいは、図１７に示すように、台座部２２上に支持軸２６ｃ  を突設し、同支持軸２６ｃ  回りに弾丸状の指圧体２６ｄ  を回転自在に取付けてもよい。
【００９０】
次に、本マッサージ機Ａの作動について説明する。図１８に本マッサージ機Ａのブロック図を示す。図示するように、本実施例では電流検知部を設けて安全機構を備えさせており、例えば、振動板１や指圧用回転体２０に無理な負荷がかかると、各モータ６ａ，６ｂ  の回転数が落ち、このときの過電流を電流検知部が検知してその信号を制御回路に送ることによって各モータ６ａ，６ｂ  を停止させるようにしている。なお、電源については、商用電源に変えて、電源は電池としてもよい。
【００９１】
前述したように、操作部５におけるスイッチ操作によって、振動モード、指圧モード、おまかせモードと選択可能であるが、タイマを具備させることでいずれも始動から１５分経つと自動的にＯＦＦするように制御している。
【００９２】
ここで、本実施例のおまかせモードについて、図１９を参照しながら説明すると、おまかせモードスイッチ５５をＯＮすると（イ）、振動用モータ６ａ、指圧用モータ６ｂの両方が同時に弱運転で起動し（Ｔ１）、例えば１５秒間駆動すると（Ｔ２）、次に強運転で１５秒駆動する（Ｔ３）。
【００９３】
このように、起動を弱運転としているので、初めて使用する者でもごく自然にマッサージ治療に入ることができ、また初期の運転（Ｔ３まで）で、振動モード、指圧モード、これらの強弱程度を使用者に認識させ、後の使用の目安とさせることができる。
【００９４】
そして、（Ｔ３）からは再び両モータ６ａ，６ｂ  ともに弱運転となり、１０〜３０秒程度に設定した適当な時間で強と弱の運転を繰り返し（Ｔ４）、起動から１５分経過すると自動的にＯＦＦとなる（ロ）。
【００９５】
なお、このおまかせモード運転中であっても、振動モードのみ、あるいは、指圧モードのみを各スイッチ５１〜５４を操作することでその強弱とともに選択することが可能であり（ハ）（ニ）、また、かかる別モードを選択しても、おまかせモードスイッチ５５のＯＮから１５分経過すれば自動的にＯＦＦとなるように制御している。なお、おまかせ運転中に、他のモードを選択した場合、始動は弱運転から開始するようにすることが好ましい。
【００９６】
なお、本実施例では、（Ｔ４）については振動モード、指圧モードが両者そろって強弱を繰り返すようにしているが、例えば、所定時間は振動モードが停止して指圧モードが強運転となり、次いで指圧モードが停止して振動モードが弱運転となり、次いで指圧モードは停止のまま振動モードが強運転となり、さらにその後は振動モードが停止して指圧モードが低運転するなどを繰り返したり、あるいは、各運転状態が全くアトランダムに発生するなど、適宜設定することができる。
【００９７】
次に、他の実施例として、図２０〜図２３に示したものを説明する。
【００９８】
これらは、前部突起群８や中間凸部、また後部突起部９の形態を変更したものであるが、いずれにしても、前部突起群８と中間凸部との間には、足の裏の凸曲面部を沈み込ませるだけのスペースＳを設けている。
【００９９】
すなわち、図２０に示したものは、中間凸部としての指圧用凸部２を左右に長円状の大型凸部２ａとしたものであり、この場合は、指圧用回転体２０をローラ状としてもよい。また、本実施例では、後部突起部９の突起９０を２個としている。
【０１００】
図２１に示したものは、一文字型とした前部突起群８を２列に並設したものであり、最外側の突起８０ａ  についても前後ダブルに設けている。
【０１０１】
また、本実施例では、中間凸部２の回転機能を廃止して、単に大突起２’として構成している。
【０１０２】
また、ここでは、後部突起部９を一つの突起９０で形成している。先の実施例では４個で平面視矩形形状とし、また上記した他の実施例では２個で構成したように、後部突起部９の突起９０の数は自由に設定して構わない。
【０１０３】
図２２に示したものは、中間凸部２の回転機能を廃止して、中間突起群２’’  を設けたものである。さらに、前部突起群８を左右一対とせずに、中央に一列に配している。
【０１０４】
さらに、図２３に示すように、指圧用回転体２０をドーム状に構成して突起部分を省略したものとしてもよい。
【０１０５】
かかる構成とすれば、患部をあたかも摩るような優しい指圧マッサージが可能となる。なお、図示したドーム状回転体２ｂ上に、出没式の小突起（図示せず）を設ければ、叩くことによるマッサージが効果的に行える。
【０１０６】
以上説明してきたように、指圧機能を有する中間凸部を形成する指圧用回転体２０は、水平回転でも、あるいは、ローラのように縦方向へ回転してもよく、あるいは、回転機能をもたないものであっても構わない。さらに、前述したように、叩いてマッサージするような形態を採用しても構わない。
【０１０７】
さらなる他の実施例として、図２４に示したものを説明する。
【０１０８】
これは、振動によるマッサージに加え、温熱効果でマッサージ効果をより高めるようにしたものである。
【０１０９】
すなわち、振動板１の外側にヒータ線１３を取付けるかあるいは内部に埋設して振動板１を加温可能とするとともに、振動板１に遠赤外線を放射する物質、例えばセラミック等を担持させたものである。ここで担持とは、外表面への塗布、あるいは素材樹脂中への含浸などをいう。
【０１１０】
図中、Ｆはセラミック粒子、１４はヒータ線１３に接続した伝熱材であり、アルミニウム等の熱電導率の高い金属を用いている。かかる伝熱材１４を小突起１２や各突起８０，９０  内に埋設して患部に当接する場所まで効果的に加温可能としている。
【０１１１】
また、振動板１の裏面には絶縁材１４ａ  を介して断熱材１ｃを取付けている。かかる構成により、施療面となる振動板１の表面側に熱エネルギを効率よく送ることができ、遠赤外線照射作用を向上させることができる。
【０１１２】
なお、断熱材１ｃの素材としては、ロックウール、グラスウール、石綿等の繊維質断熱材や、ケイ酸カルシウム、炭酸マグネシウムの粉抹を結合材にして板状に形成したものでもよい。あるいは、パーライト、泡ガラス等の多孔質材料を成形したものでも構わない。
【０１１３】
また、前記ヒータ線１３に代えて、加熱手段としてはペルチェ系素子であってもよい。なお、本実施例のその他の構成は先の実施例と同様であるのでここでの説明は省略する。
【０１１４】
さらに、温熱効果を有するものとしては、図２５、図２６に示すような形態も考えられる。
【０１１５】
すなわち、図２５に示したものは、振動板１からスチームを発生可能としたもので、振動によるマッサージと温熱による効果に加え、患部の肌が乾燥していても潤いを与えることができ、美容面においても効果がある。
【０１１６】
その具体的な構成について説明すると、振動板１の各小突起１２、あるいは突起８０，９０  の間にスチーム噴出口１５を設け、各噴出口１５とスチーム発生ユニット（以下単にユニットという）Ｕとを連通連結させている。
【０１１７】
ユニットＵは、一側にヒータ嵌入孔１６ａ  を設けるとともに、他側にタンク挿通片１６ｂ  を形成した吸水体１６を、単独でユニットＵから着脱自在に取付けている水タンク１７内に前記タンク挿通片１６ｂ  を抜き差し自在に装着可能とし、前記ヒータ嵌入孔１６ａ  にヒータ１８を嵌着させて構成しており、ケーシングＣ内に着脱自在としている。したがって、水タンク１７を取り外して水の補給を簡単に行えるとともに、ユニットＵのメンテナンスも容易に行える。
【０１１８】
また、振動板１とユニットＵは、スチームが振動板１の裏側にもれることがないように摺動させており、また、かかる摺動距離に見合うように前記スチーム噴出口１５の大きさ及び位置が設定されている。
【０１１９】
かかる構成により、ヒータ１８に通電すると、吸水体１６内の水が蒸発して、多数のスチーム噴出口１５よりスチームが万遍なく発生し、患部を振動によりマッサージするとともに、加温して血行を促進し、かつスチームによって肌を潤すことができる。スチーム噴出口１５は、突起１２，８０，９０間に形成されているので閉塞されることもなく、また、患部とは適当な空間が保持されるので火傷などのおそれもない。
【０１２０】
図２６に示したものは、上記ユニットＵを指圧用凸部２の指圧用回転体２０内に設けたものであり、指圧用回転体２０の各筒状突起２５間からスチームを発生可能としている。２９はスチーム噴出口、７２は指圧用モータ６ｂに連動連結したウォームギヤ、７３は同ウォームギヤ７２に噛合するリングギヤである。
【０１２１】
なお、この場合は、先の実施例で採用したカバー体２１は不要とするか、あるいは、耐水性の材質でメッシュ状に形成したものを用いるとよい。
【０１２２】
以上、図２５、図２６に示したマッサージ機Ａにおいてもその他の構成は第１の実施例と同様なのでここでの説明は省略する。
【０１２３】
さらに他の実施例として、図２７及び図２８に示したものを説明する。
【０１２４】
これは、ケーシングＣの形状を平面視略台形形状とし、使用者からみて手前側に、入江状の湾曲切欠部Ｄを形成するとともに、同湾曲切欠部Ｄの端縁に、振動板１側に向けて、ケーシングＣの上面傾斜よりも角度のある上り傾斜のテーパ部Ｄ１を形成し、さらに、湾曲切欠部Ｄに沿って各種スイッチ５０〜５５を配設したものである。
【０１２５】
かかる構成とすることにより、足の裏をマッサージするに際してスイッチ操作を足で直接行えるのでスイッチ操作の度に上体を前方に屈曲させたりする必要がなく、使い勝手が向上する。すなわち、図示するように、踵を軸にして指先を動かすことができるので使い勝手がよい。
【０１２６】
なお、本実施例では、把手３０をケーシングＣの側面に設けているが、前端部分に設けてもよい。また、各スイッチ５０〜５５の配列についても、足での操作が可能な範囲で適宜設定して構わない。その他の構成は第１の実施例と同様であるのでここでの説明は省略する。
【０１２７】
以上、各実施例を通して本発明を説明したが、本発明は各実施例に限定されるものではない。
【０１２８】
例えば、本実施例では、振動板１を支持する弾性支柱４１，４２  の硬度を代えて異常振動に対応したが、図２９（ａ）  に示すように、同硬度のものであっても、後側の弾性支柱４２の取付本数を増加して対応したり、あるいは、図２９（ｂ）  に示すように、同弾性支柱４２の径を大きくして対応することもできる。
【０１２９】
さらには、図３０に示すように、材質を天然ゴムに代えてコイルバネ４４を採用してもよい。この場合も、コイル径を変えたり、予めバネ定数の異なるものを使用したりして振動板１の異常振動に対応することができる。
【０１３０】
また、振動板１を振動させる偏心カム６３と連動連結した振動用モータ６ａは、ケーシングＣ側ではなく、振動板１に取付けた構成としてもよい。また、その他の構成要素の形状や材質等も適宜変更して構わない。
【０１３１】
【発明の効果】
（１）請求項１記載の本発明によれば、振動板を振動させることによりマッサージを施すようにしたマッサージ機において、前記振動板の前部に、複数の突起を横一列に並設して足の指に対応する前部突起群を形成するとともに、土踏まずに対応する中間凸部を設け、同中間凸部と前部突起群との間に、少なくとも足の裏の凸曲面部を沈み込ませるだけのスペースを設けた。したがって、足の裏をマッサージする場合、振動板の振動で足がずれることを防止するとともに、指の付け根を強く押圧し、血行を促進してマッサージ効果を高め、さらに、振動による足の内側へのずれを防止することができるとともに、疲れを癒すに適当な土踏まずのマッサージ効果を高めることができる。しかも、足を載置した際に、指を突起間に深く挿入し過ぎることがなく、振動によって指を傷めたりするおそれがない。
【０１３２】
（２）請求項２記載の本発明では、最外側に位置した前記突起の外側斜め後方位置にさらに突起を設けたので、各突起が実際の足の指に対応することになり、しかも小指にまでフィットするのでマッサージ効果が高まる。また、たとえ小指に当接しなくとも、かかる最外側斜め後方位置にある突起が足の横ずれを防止できる。
【０１３３】
（３）請求項３記載の本発明では、前記振動板の後部に後部突起部を設けたことにより、上記（１）、（２）の効果に加え、足の裏のマッサージを行うに際し、かかる後部突起部が踵に対応することになり、踵下面や側面のマッサージも行えるとともに、下方への足のずれを防止することができる。
【０１３４】
（４）請求項４記載の本発明では、前部突起群の最外側突起と後部突起部とが、略同一直線上にあることとしたことにより、上記（３）の効果に加え、自然な姿勢で足を振動板に載せるだけで足の裏全体を効率よくマッサージ可能となり、かつ、振動により足が外側や下側へずれることを防止できる。
【０１３６】
（５）請求項５記載の本発明では、前記中間凸部は、回転して患部を押圧する指圧機能を有することとしたことにより、上記（４）の効果に加え、土踏まず等をより効果的にマッサージできる。
【０１３８】
（６）請求項６記載の本発明では、振動板の略全面に、前部突起群の各突起、後部突起部、及び中間凸部よりも背の低い小突起を多数設けたことにより、上記（５）の効果に加え、振動板のどの個所に足、手、背等の患部を載置してもマッサージ効果が高くなり、施療個所が広くても対応可能となる。
【０１３９】
（７）請求項７記載の本発明では、前記前部突起群の前後に複数の小突起を横一列に設け、しかも、各小突起は、前部突起群の各突起と前後方向に重合しないように設けられていることとしたので、上記（６）の効果に加え、足等を載置した際に、前部突起群の各突起に指を載せた場合に、その前後の小突起によって突起と振動板面との段差が縮まることがなく、強力な押圧力を得てマッサージ効果を高めることができる。
【図面の簡単な説明】
【図１】実施例に係るマッサージ機の平面図である。
【図２】同マッサージ機の側面図である。
【図３】同マッサージ機の縦断面図である。
【図４】同マッサージ機の分解斜視図である。
【図５】上ケースの底面図である。
【図６】同マッサージ機の振動板を取り除いた状態の平面図である。
【図７】図６のＩ−Ｉ線における断面図である。
【図８】同マッサージ機の使用状態を示す説明図である。
【図９】指圧用凸部と前部突起群との間に設けたスペースの説明図である。
【図１０】前部突起群の使用例を示す説明図である。
【図１１】指圧用回転体の斜視図である。
【図１２】同指圧用回転体の側面図である。
【図１３】同指圧用回転体の平面図である。
【図１４】図１３のＩ−Ｉ線における断面図である。
【図１５】指圧用回転体の他の形態を示す説明図である。
【図１６】指圧用回転体の他の形態を示す説明図である。
【図１７】指圧用回転体の他の形態を示す説明図である。
【図１８】マッサージ機のブロック図である。
【図１９】同マッサージ機の作動状態を示すタイムチャートである。
【図２０】他の実施例に係るマッサージ機の説明図である。
【図２１】他の実施例に係るマッサージ機の説明図である。
【図２２】他の実施例に係るマッサージ機の説明図である。
【図２３】指圧回転体の他の形態を示す説明図である。
【図２４】他の実施例に係るマッサージ機の説明図である。
【図２５】他の実施例に係るマッサージ機の説明図である。
【図２６】他の実施例に係るマッサージ機の説明図である。
【図２７】他の実施例に係るマッサージ機の平面図である。
【図２８】同マッサージ機の側面図である。
【図２９】弾性支柱の他の実施形態を示す説明図である。
【図３０】弾性支柱の他の実施形態を示す説明図である。
【図３１】従来のマッサージ機の説明図である。
【符号の説明】
Ａ    マッサージ機
Ｓ    スペース
１    振動板
２    中間凸部（指圧用凸部）
８  前部突起群
９  後部突起部
１２    小突起
８０    突起
８０ａ  突起
８１    リブ
８２ａ  小突起
【図１】
0003586087.tif 000002
【図２】
0003586087.tif 000003
【図３】
0003586087.tif 000004
【図４】
0003586087.tif 000005
【図５】
0003586087.tif 000006
【図６】
0003586087.tif 000007
【図７】
0003586087.tif 000008
【図８】
0003586087.tif 000009
【図９】
0003586087.tif 000010
【図１０】
0003586087.tif 000011
【図１１】
0003586087.tif 000012
【図１２】
0003586087.tif 000013
【図１３】
0003586087.tif 000014
【図１４】
0003586087.tif 000015
【図１５】
0003586087.tif 000016
【図１６】
0003586087.tif 000017
【図１７】
0003586087.tif 000018
【図１８】
0003586087.tif 000019
【図１９】
0003586087.tif 000020
【図２０】
0003586087.tif 000021
【図２１】
0003586087.tif 000022
【図２２】
0003586087.tif 000023
【図２３】
0003586087.tif 000024
【図２４】
0003586087.tif 000025
【図２５】
0003586087.tif 000026
【図２６】
0003586087.tif 000027
【図２７】
0003586087.tif 000028
【図２８】
0003586087.tif 000029
【図２９】
0003586087.tif 000030
【図３０】
0003586087.tif 000031
【図３１】
0003586087.tif 000032